(57)【要約】
【課題】　無線インターネット・アクセス・サービスにおいて、効率的に自動化された運用システムを提供する。
【解決手段】　アカウント生成システムは、アカウント生成装置と、プリンターと、一つのもしくは複数の無線アクセス機器とから構成される。アカウント生成装置はＩＰアドレスを保持し、アカウント管理機能を有する。インターネット・ユーザー・アクセス認証情報が、プリンターの入力装置を経てアカウント生成装置より取得され、プリント・アウトされる。次にユーザーが、無線アクセス機器、例えば無線ＬＡＮカードを備えたノート・パソコンやＰＤＡに、インターネット・ユーザー・アクセス認証情報を入力することで、ユーザーは自分のいる場所から特別な操作を必要とせずに無線ＬＡＮへアクセスすることができる。さらに本発明のシステムは、アカウント生成装置に接続した料金回収装置を備える。これはユーザーがインターネット・ユーザー・アクセス認証情報を取得するため、現金またはクレジットカードといった、多様な支払い形態に対応するために使用される。
【選択図】　　　　図１
0003099924.tif 000002
【実用新案登録請求の範囲】
【請求項１】
　アカウント生成装置と、入力装置と、プリンターと、１又はそれ以上の無線アクセス機器とから成るアカウント生成システムにおいて、
　広域ネットワークに接続され、ＩＰアドレスを保持し、アカウント管理機能を有する前記アカウント生成装置と、
　アカウント生成装置からインターネット・ユーザー・アクセス認証情報を取得する前記入力装置と、
　インターネット・ユーザー・アクセス認証情報を印刷する前記プリンターと、
　インターネット・ユーザー・アクセス認証情報が入力されることでアカウント生成装置に接続することが可能である１又はそれ以上の前記無線アクセス機器と、から成ることを特徴とするアカウント生成システム。
【請求項２】
　前記アカウント生成装置は、ゲートウェイ機能、ルーター機能、及びアクセス・ポイント機能からなる群より選ばれる１以上の機能を含むことを特徴とする請求項１記載のアカウント生成システム。
【請求項３】
　前記入力装置は、プリンターに設置されていることを特徴とする請求項１記載のアカウント生成システム。
【請求項４】
　前記入力装置は、ボタン、タッチ・パネル、又は音声入力装置であることを特徴とする請求項１記載のアカウント生成システム。
【請求項５】
　前記プリンターは、無線通信を通して、前記アカウント生成装置からインターネット・ユーザー・アクセス認証情報を取得することを特徴とする請求項１記載のアカウント生成システム。
【請求項６】
　前記無線通信における無線通信プロトコルとしてＩＥＥＥ８０２．１１ａ、ＩＥＥＥ８０２．１１ｂ、及びＩＥＥＥ８０２．１１ｇからなる群より選ばれる１以上のプロトコルを採用し、前記無線通信における無線通信技術として無線ＬＡＮ、ＩｒＤＡ、ブルートゥース、及びラジオ周波数からなる群より選ばれる１以上の無線通信技術を採用したことを特徴とする請求項５記載のアカウント生成システム。
【請求項７】
　前記プリンターは、インターネット・ユーザー・アクセス認証情報を受信するために、イーサーネット(登録商標)・ポート、シリアル・ポート、パラレル・ポート、ＵＳＢポート、及びＩＥＥＥ１３９４ポートからなる群より選ばれる１以上のポートにより、前記アカウント生成装置と接続されていることを特徴とする請求項１記載のアカウント生成システム。
【請求項８】
　前記インターネット・ユーザー・アクセス認証情報はユーザーネーム、パスワード、及びオンライン利用可能時間を含むことを特徴とする請求項１記載のアカウント生成システム。
【請求項９】
　アカウント生成装置と、プリンターと、１又はそれ以上の料金回収装置と、１又はそれ以上の無線アクセス機器とから成るアカウント生成システムにおいて、
　広域ネットワークに接続され、ＩＰアドレスを保持し、アカウント管理機能を有する前記アカウント生成装置と、
　インターネット・ユーザー・アクセス認証情報を印刷する前記プリンターと、
　料金の支払い後にインターネット・アクセス認証情報をプリント・アウトするようにプリンターへ指示を出すアカウント生成装置に接続されている１又はそれ以上の前記料金回収装置と、
　インターネット・ユーザー・アクセス認証情報を入力することでアカウント生成装置に接続することが可能である１又はそれ以上の前記無線アクセス機器と、から成ることを特徴とするアカウント生成システム。
【請求項１０】
　前記アカウント生成装置より、インターネット・ユーザー・アクセス認証情報を取得するため、プリンターに１又はそれ以上の入力装置を有することを特徴とする請求項９記載のアカウント生成システム。
【請求項１１】
　前記入力装置はボタン入力、タッチ・パネル入力、又は音声操作入力であることを特徴とする請求項１０記載のアカウント生成システム。
【請求項１２】
　インターネット・ユーザー・アクセス認証情報はユーザーネームと、パスワードと、オンライン利用可能時間とを含むことを特徴とする請求項９記載のアカウント生成システム。
【請求項１３】
　前記料金回収装置が、カード・リーダー及び料金回収箱のいずれか又は両方含むことを特徴とする請求項９記載のアカウント生成システム。
【請求項１４】
　前記料金回収装置は、携帯電話であることを特徴とする請求項９記載のアカウント生成システム。
【請求項１５】
　ボタンと、信号送受信ポートと、ペーパー・ロールとから成るプリンターにおいて、
　前記ボタンが押されたときにアカウント生成システムからのインターネット・ユーザー・アクセス認証情報を取得する機能を備えた前記信号送受信ポートと、
　インターネット・ユーザー・アクセス認証情報が記録される前記ペーパー・ロールと、
　から成るプリンターであり、インターネット・ユーザー・アクセス認証情報を受信しプリント・アウトするために使用されることを特徴とするプリンター。
【請求項１６】
　前記プリンターにおいて、ペーパー・ロール・カッターを含むことを特徴とする請求項１５記載のプリンター。
【請求項１７】
　前記信号送受信ポートにおいて、無線通信を経由しインターネット・ユーザー・アクセス認証情報を受信する信号送受信ポートを有することを特徴とする請求項１５記載のプリンター。
【請求項１８】
　前記無線通信における無線通信プロトコルとしてＩＥＥＥ８０２．１１ａ、ＩＥＥＥ８０２．１１ｂ、及びＩＥＥＥ８０２．１１ｇからなる群より選ばれる１以上のプロトコルを採用し、前記無線通信における無線通信技術として無線ＬＡＮ、ＩｒＤＡ、ブルートゥース、及びラジオ周波数からなる群より選ばれる１以上の無線通信技術を採用したことを特徴とする請求項１７記載のプリンター。
【請求項１９】
　前記信号送受信用のポートとしてイーサーネット（登録商標）・ポート、シリアル・ポート、パラレル・ポート、ＵＳＢポート、及びＩＥＥＥ１３９４ポートからなる群より選ばれる１以上のポートを採用することを特徴とする請求項１５記載のプリンター。
【考案の詳細な説明】
【技術分野】
【０００１】
　本発明は、無線インターネット・アクセス・サービスにおいて、効率的に自動化された運用システムに関するものである。
【背景技術】
【０００２】
　無線ネットワーク技術は、今日では広範囲に利用されている。例えば多くの企業や、公共の建物、国際的なホテル・空港・喫茶店などにおいて、無線インターネット・サービスを利用者が楽しめるように、無線ネットワーク技術を導入している。
【０００３】
　一般に、利用者は自分のノート・パソコンや携帯情報端末（以下ＰＤＡ）を使用し、無線ネットワーク・インターフェース・カードを借りることで、もしくは、無線ネットワークに接続するサービスに加入することで、インターネットへのアクセスを可能とし、イーメールや、オンライン・ゲーム、個人金融情報やニュース等の情報提供サービスを受けることができる。
【０００４】
　ここでは、無線インターネット・アクセス・サービス（以下ＷＩＡＳ）の多くは、特定のインターネット・サービス提供業者（以下ＩＳＰ）から、ハードウェアとソフトウェアを含んだフル・パッケージという方式で提供されている。この場合に、インターネット・アクセスを利用するためのログイン・アカウントやパスワード、ユーザー設定データは、サービス提供店舗のカウンターやインターネット・カフェの入り口などで、購入できるようになっている。
【０００５】
　このような運用形態において、アウトレット店等のＷＩＡＳサービス提供店舗は、ＩＳＰと、インターネット提供サービスによって得られる利益を分配しなくてはならない。つまり、アウトレット店等のインターネット・サービスを提供している店舗は、店で提供しているＷＩＡＳにより得た利益の全額を回収することはできない。
【０００６】
　また、小さな規模のサービス提供店舗では、上記と同様の無線ネットワークを、ＩＳＰに頼らず自ら導入し自ら管理を行った場合には、多くの技術的な問題や営業上の障害を引き起こす可能性が高い。というのは多くの店舗が、ＷＩＡＳの運用や管理に必要な知識と技術を持ちあわせた従業員を雇うほどの、十分な資金を持ち合わせていないからである。さらに言えば、インターネット・アクセスに関する複雑なデータを管理し、いつ何時にでも現れる顧客に対して、ＷＩＡＳの接続時間に従って、利用料金を計算するシステムを構築することは困難である。
【考案の開示】
【考案が解決しようとする課題】
【０００７】
　本発明の第一の目的は、インターネット・サービスの提供に関する作業を容易にさせるための、アカウント生成システムを提供することである。アカウント生成システムとは、インターネット・ユーザー・アクセス認証情報（以下ＩＵＡＡＩ）を自動で取得し、プリンターによりそれらの情報をプリント・アウトするというシステムである。これは、利用者が、プリント・アウトされた情報に基づき、ＩＵＡＡＩをコンピューター等の無線アクセス機器へ入力後、インターネットへのアクセスを可能とさせるためである。
【０００８】
　本発明の第二の目的は、自動化されることで、人的資源の節約を念頭において設計された、アカウント生成システムを提供することである。これは、ＷＩＡＳの利用を常に監視している専任の従業員を必要とすることなく、自動でＩＵＡＡＩを取得することとを目的とする。従って、ＷＩＡＳの提供者は、インターネット・サービスを低いコストで効率的に運用することができる。
【０００９】
　本発明の第三の目的は、インターネット・サービスを提供する小規模の店舗がＩＳＰと契約を結ぶことや、売り上げをＩＳＰと分配する必要がないように、自分たちで独立して管理し、運用できるアカウント生成システムを構築することである。
【００１０】
　本発明の第四の目的は、インターネット・サービス利用料金の様々な支払い形態に対応したアカウント生成システムを提供することである。このようにしたのは、利用料の支払いを、現金または、クレジット・カードで行なう事に対応するためである。
【課題を解決するための手段】
【００１１】
　考案者は上記目的を満たすため、以下のような新たなアカウント生成システムを考案した。
【００１２】
　（１）　アカウント生成装置と、入力装置と、プリンターと、１又はそれ以上の無線アクセス機器とから成るアカウント生成システムにおいて、広域ネットワークに接続され、ＩＰアドレスを保持し、アカウント管理機能を有する前記アカウント生成装置と、アカウント生成装置からインターネット・ユーザー・アクセス認証情報を取得する前記入力装置と、インターネット・ユーザー・アクセス認証情報を印刷する前記プリンターと、インターネット・ユーザー・アクセス認証情報が入力されることでアカウント生成装置に接続することが可能である１又はそれ以上の前記無線アクセス機器と、から成ることを特徴とするアカウント生成システム。
【００１３】
　（２）　前記アカウント生成装置は、ゲートウェイ機能、ルーター機能、及びアクセス・ポイント機能からなる群より選ばれる１以上の機能を含むことを特徴とする（１）記載のアカウント生成システム。
【００１４】
　（３）　前記入力装置は、プリンターに設置されていることを特徴とする（１）記載のアカウント生成システム。
【００１５】
　（４）　前記入力装置は、ボタン、タッチ・パネル、又は音声入力装置であることを特徴とする（１）記載のアカウント生成システム。
【００１６】
　（５）　前記プリンターは、無線通信を通して、前記アカウント生成装置からインターネット・ユーザー・アクセス認証情報を取得することを特徴とする（１）記載のアカウント生成システム。
【００１７】
　（６）　前記無線通信における無線通信プロトコルとしてＩＥＥＥ８０２．１１ａ、ＩＥＥＥ８０２．１１ｂ、及びＩＥＥＥ８０２．１１ｇからなる群より選ばれる１以上のプロトコルを採用し、前記無線通信における無線通信技術として無線ＬＡＮ、ＩｒＤＡ、ブルートゥース、及びラジオ周波数からなる群より選ばれる１以上の無線通信技術を採用したことを特徴とする（５）記載のアカウント生成システム。
【００１８】
　（７）　前記プリンターは、インターネット・ユーザー・アクセス認証情報を受信するために、イーサーネット（登録商標）・ポート、シリアル・ポート、パラレル・ポート、ＵＳＢポート、及びＩＥＥＥ１３９４ポートからなる群より選ばれる１以上のポートにより、前記アカウント生成装置と接続されていることを特徴とする（１）記載のアカウント生成システム。
【００１９】
　（８）　前記インターネット・ユーザー・アクセス認証情報はユーザーネーム、パスワード、及びオンライン利用可能時間を含むことを特徴とする（１）記載のアカウント生成システム。
【００２０】
　（９）　アカウント生成装置と、プリンターと、１又はそれ以上の料金回収装置と、１又はそれ以上の無線アクセス機器とから成るアカウント生成システムにおいて、広域ネットワークに接続され、ＩＰアドレスを保持し、アカウント管理機能を有する前記アカウント生成装置と、インターネット・ユーザー・アクセス認証情報を印刷する前記プリンターと、料金の支払い後にインターネット・アクセス認証情報をプリント・アウトするようにプリンターへ指示を出すアカウント生成装置に接続されている１又はそれ以上の前記料金回収装置と、インターネット・ユーザー・アクセス認証情報を入力することでアカウント生成装置に接続することが可能である１又はそれ以上の前記無線アクセス機器と、から成ることを特徴とするアカウント生成システム。
【００２１】
　（１０）　前記アカウント生成装置より、インターネット・ユーザー・アクセス認証情報を取得するため、プリンターに１又はそれ以上の入力装置を有することを特徴とする（９）記載のアカウント生成システム。
【００２２】
　（１１）　前記入力装置はボタン入力、タッチ・パネル入力、又は音声操作入力であることを特徴とする（１０）記載のアカウント生成システム。
【００２３】
　（１２）　インターネット・ユーザー・アクセス認証情報はユーザーネームと、パスワードと、オンライン利用可能時間とを含むことを特徴とする（９）記載のアカウント生成システム。
【００２４】
　（１３）　前記料金回収装置が、カード・リーダー及び料金回収箱のいずれか又は両方含むことを特徴とする（９）記載のアカウント生成システム。
【００２５】
　（１４）　前記料金回収装置は、携帯電話であることを特徴とする（９）記載のアカウント生成システム。
【００２６】
　（１５）　ボタンと、信号送受信ポートと、ペーパー・ロールとから成るプリンターにおいて、前記ボタンが押されたときにアカウント生成システムからのインターネット・ユーザー・アクセス認証情報を取得する機能を備えた前記信号送受信ポートと、インターネット・ユーザー・アクセス認証情報が記録される前記ペーパー・ロールと、から成るプリンターであり、インターネット・ユーザー・アクセス認証情報を受信しプリント・アウトするために使用されることを特徴とするプリンター。
【００２７】
　（１６）　前記プリンターにおいて、ペーパー・ロール・カッターを含むことを特徴とする（１５）記載のプリンター。
【００２８】
　（１７）　前記信号送受信ポートにおいて、無線通信を経由しインターネット・ユーザー・アクセス認証情報を受信する信号送受信ポートを有することを特徴とする（１５）記載のプリンター。
【００２９】
　（１８）　前記無線通信における無線通信プロトコルとしてＩＥＥＥ８０２．１１ａ、ＩＥＥＥ８０２．１１ｂ、及びＩＥＥＥ８０２．１１ｇからなる群より選ばれる１以上のプロトコルを採用し、前記無線通信における無線通信技術として無線ＬＡＮ、ＩｒＤＡ、ブルートゥース、及びラジオ周波数からなる群より選ばれる１以上の無線通信技術を採用したことを特徴とする（１７）記載のプリンター。
【００３０】
　（１９）　前記信号送受信用のポートとしてイーサーネット（登録商標）・ポート、シリアル・ポート、パラレル・ポート、ＵＳＢポート及びＩＥＥＥ１３９４ポートからなる群より選ばれる１以上のポートを採用することを特徴とする（１５）記載のプリンター。
【００３１】
　上述の目的を達成するために、本発明では、ＩＰアドレスを振り分けるアカウント生成装置と、アカウント管理機能と、プリンターと、一つ又は複数の無線インターネット・アクセスと、から成るアカウント生成システムを提供する。
【００３２】
　プリンター入力部（例えばタッチ・パネル等）よりシステムが起動し、アカウント生成装置がＩＵＡＡＩを取得し、その情報をプリント・アウトする。利用者がＩＵＡＡＩを、ＬＡＮカードを備えたノート・パソコンやＰＤＡである無線アクセス機器に入力すると、利用者は場所によらず、無線ＬＡＮへ他に特別な作業を必要とすることなく、アクセスすることができる。さらに、本発明はアカウント生成装置に接続した“料金支払装置”を備えるため、ＩＵＡＡＩ取得のための料金を算出し、さらに、その料金支払い形態を現金でもクレジット・カードでも行うことができる。
【考案の効果】
【００３３】
　無線インターネット・アクセス・サービスにおいて、効率的に自動化された運用システムを提供する。これにより、ＷＩＡＳ提供店舗がアカウント・利用料金・支払形態等を自ら運用、管理することができるという利点がある。
【考案を実施するための最良の形態】
【００３４】
　本発明での実施例は例示的に示したものであり、本発明は本実施形態に限られるものではない。
【実施例１】
【００３５】
　図１は、本発明の第一の実施例を示したもので、アカウント生成システムの概略図である。ＷＩＡＳの提供を予定している店舗やインターネット・カフェ等では、最初に広域通信網（以下ＷＡＮ）への接続のための通信線を確保し、そのアカウントの契約を行う。一般的には、公衆交換電話網（以下ＰＳＴＮ）１１がモデム１２と電話回線又はテレビ・ケーブルを経由して接続される。
【００３６】
　この方法で、利用者はインターネットへのアクセスが可能となり、世界中のウェッブ・サイトにアクセスしたり、個人メールを送受信したり読んだりすることができる。広帯域通信のために、モデム１２をＡＤＳＬモデムやケーブル・モデムを使うことも可能である。
【００３７】
　ＰＳＴＮ１１の反対側に位置するアカウント生成装置１３Ａがモデム１２に接続されているが、これはＩＰアドレスとユーザーアカウントを管理するものである。すなわち、アカウント生成装置１３Ａは、ゲートウェイとして、ルーターとして、又はアクセス・ポイントとして機能する、というネットワークの基本機能に加えて、ＩＵＡＡＩを生成するというアカウント管理機能を有する。
【００３８】
　プリンター１７Ａのボタン１７１Ａが押されたときに、プリンター１７ＡがＩＵＡＡＩをアカウント生成装置１３Ａから電信線または無線による送信を通じて取得し、その全ての情報を認証カード１７２に印刷する。ここで、ボタン１７１Ａを他の入力方法として、音声操作入力やタッチ・パネル入力に置き換えることも可能である。
【００３９】
　プリンター１７Ａは、店舗の入口やレジ・カウンター等の利用が容易な場所に置かれる。利用者が店舗のＷＡＮを利用するときは、カウンターから認証カード１７２を購入する。認証カード１７２は、ログイン・カウント、ユーザーネーム、パスワード、無線インターネット・アクセスの利用可能な時間、設定データなどの基本データがプリント・アウトされている。
【００４０】
　利用者がインターネットにアクセスするためには、無線ＬＡＮカード１４１を備えたノート・パソコン１４のスクリーンに表示されている確認ページ上で、認証カードにプリント・アウトされたデータを入力するだけでよい。無線データ送信はノート・パソコン１４とアカウント生成装置１３Ａの間で行われ、この際の標準的な通信プロトコルとして、ＩＥＥＥ８０２．１１ａ、ＩＥＥＥ８０２．１１ｂ、ＩＥＥＥ８０２．１１ｇが使用される。
【００４１】
　ノート・パソコン１４に加えて、利用者は無線ＬＡＮカード１５１や、その他の無線ＬＡＮへのアクセス可能な機器を備えたＰＤＡ１５を使用することができる。
【００４２】
　上述のように、インターネット提供店舗の従業員は、無線通信インターネット等の技術を習得する必要はない。従業員は利用者の認証カード１７２を取得するため、プリンター１７Ａのボタン１７１Ａを押し、表示されたインターネット・アクセス利用可能時間を確認しておく。
【００４３】
　利用者は認証カード１７２を取得してしまえば、好きな場所に席を取ることができ、無線アクセス機器（ノート・パソコンやＰＤＡ等）の確認画面からユーザー名やパスワードを入力することで、広域ネットワークに接続されネットサーフィンを楽しむことができる。
【００４４】
　図１に示されるように、プリンター１７Ａは無線送信を通じてＩＵＡＡＩをアカウント生成装置１３Ａから取得する。ここで、当該無線通信におけるデータ転送が有線で行われてもよい。
【実施例２】
【００４５】
　図２では、プリンター１７Ｂは信号線２１によりアカウント生成装置１３Ｂに接続されている。利用者はプリンター１７Ｂのボタン１７１Ｂを押し、認証カード１７２を取得する。
【００４６】
　従業員の作業の柔軟性を高めるため、離隔ボタン２２が一つ又は複数接続されていてもよい。離隔ボタン２２は、直接アカウント生成装置１３Ｂに接続されている。離隔ボタン２２が押されると、プリンター１７Ｂはその利用者の認証カード１７２をプリント・アウトする。ここで利用者自身が、認証カード１７２をプリンター１７Ｂまで取りに行くことも可能である。
【００４７】
　図３は本発明のアカウント生成装置に使用される、プリンターの概略図である。プリンター３０は一つまたは複数のボタン３１を有し、プリント・アウトの目的のため、又は関連した機能を設定するために使用される。
【００４８】
　ペーパー・ロール３２は内部に位置し、上面に保護カバー３５を有し、その上部に印刷されたＩＵＡＡＩが出力される。ＩＵＡＡＩがプリント・アウトされた後に、ペーパー・ロール・カッター３３により用紙が切断される事で認証カード３４を得る。
【００４９】
　信号送受信口３６は、アカウント生成装置からのＩＵＡＡＩを受信するために使用され、プリンター３０の片側側面に配置されている。これは図２に示される信号線２１、又は無線により通信を行う。
【００５０】
　上述のようにプリンター３０は、無線送受信か信号線によってアカウント生成装置１３Ａもしくは１３Ｂに接続されている。無線送受信においては、一般的に使用されている広域ネットワークのプロトコルであるＩＥＥＥ８０２．１１ａ、ＩＥＥＥ８０２．１１ｂ（ＷｉＦｉ）、ＩＥＥＥ８０２．１１ｇが使用されるが、これに加えて、ＩｒＤＡやラジオ無線通信やブルートゥース送受信のような技術によっても実現できる。
【００５１】
　有線でプリンター３０とアカウント生成装置１３Ｂを接続する場合は、イーサーネット（登録商標）・ポート、シリアル・ポート、パラレル・ポート、ＵＳＢポート、ＩＥＥＥ１３９４ポート等が使用される。
【実施例３】
【００５２】
　本発明では、支払方法の多様化に対応すべく、現金での支払い方式と現金でない支払い方式の両方を備え、従業員により算出していた料金計算を、自動操作にすることができる。
【００５３】
　図４は、第３の実施例を示した概略図である。ここに、アカウント生成装置１３Ｃに信号線４３と４４により、カード・リーダー４１と料金回収箱４２が接続されている。利用者がクレジット・カードをカード挿入口４１１に入れ、カードの認証と支払を完了したとき、アカウント生成装置１３Ｃは支払完了の情報を取得し、プリンター１７Ａに対して認証カード１７２をプリント・アウトするよう指示する。
【００５４】
　また、利用者が、紙幣を料金回収箱４２の紙幣スロット４２１に挿入する、または、硬貨スロット４２２に硬貨を投入することで支払処理を行い、アカウント生成装置１３Ｃは支払完了確認を行う。最終的には、金額に応じて比例する利用可能時間の情報が記載された認証カード１７２を利用者は取得する。
【００５５】
　最近では、通信事業提供者等から提供されているサービスとして、携帯電話等からの支払い方法が実現している。本発明では、このような支払い形態にも対応し、無線インターネット・サービス料の支払いのため、携帯電話４５からダイアルアップ等でアクセスし支払いを行うことも可能とする。この場合には、携帯通信システムがアカウント生成装置１３Ｃに支払い完了の確認を伝え、認証カード１７２をプリント・アウトするという手順である。
【実施例４】
【００５６】
　図５は、アカウント生成装置１３Ｃが無線アクセス・ポイント５１と信号線５２を通して複数接続されている。複数の無線アクセス・ポイント５１が、広域電波範囲を確保するため離散した場所や各フロアに配置される。プリンター１７Ａ又は無線アクセス・ポイント５１と信号線５３で接続されるプリンター１７Ｂにおいても、離散して複数の場所に配置されているため、利用者は認証カード１７２を取得しやすい。このため利用者が無線インターネット・アクセスの利用時間を延長したい場合であっても、最初に認証カード１７２を購入したカウンターまで再度手続きに行く必要はない。
【産業上の利用可能性】
【００５７】
　本発明は、インターネット・サービスの提供に使用されるアカウント生成システムであり、自動化され効率的に利用者を管理できるシステムであるため、インターネット提供サービスを行うアウトレット店、インターネット・カフェ等の店舗で利用される。
【図面の簡単な説明】
【００５８】
【図１】本発明の第一の実施例を示したもので、アカウント生成システムの概略図である。
【図２】本発明の第二の実施例を示したもので、アカウント生成システムの概略図である。
【図３】本発明で使用される、プリンターの概略図である。
【図４】本発明の第三の実施例を示したもので、アカウント生成システムの概略図である。
【図５】本発明の第四の実施例を示したもので、アカウント生成システムの概略図である。
【符号の説明】
【００５９】
　１１　　ＷＡＮ／ＰＳＴＮ
　１２　　モデム
　１３Ａ　　アカウント生成装置（無線）
　１３Ｂ　　アカウント生成装置（有線）
　１３Ｃ　　アカウント生成装置（料金回収箱接続型）
　１４　　ノート・パソコン
　１４１　　無線ＬＡＮカード
　１５　　ＰＤＡ
　１５１　　無線ＬＡＮカード
　１７Ａ　　プリンター
　１７Ｂ　　プリンター
　１７１Ａ　　ボタン
　１７１Ｂ　　ボタン
　１７２　　認証カード
　２１　　信号線
　２２　　離隔ボタン
　３０　　プリンター
　３１　　ボタン
　３２　　ペーパー・ロール
　３３　　ペーパー・ロール・カッター
　３４　　認証カード
　３５　　保護カバー
　３６　　信号送受信口
　４１　　カード・リーダー
　４１１　　カード挿入口
　４２　　料金回収箱
　４２１　　紙幣スロット
　４２２　　硬貨スロット
　４３　　信号線
　４４　　信号線
　５１　　無線アクセス・ポイント
　５２　　信号線
　５３　　信号線
【図１】
0003099924.tif 000003
【図２】
0003099924.tif 000004
【図３】
0003099924.tif 000005
【図４】
0003099924.tif 000006
【図５】
0003099924.tif 000007